【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
ゲームコンソールであって、
メモリと、
プロセッサと、
前記メモリに格納され、前記プロセッサ上で実行可能であり、ペアレンタルコントロール設定に基づいてコンテンツへのアクセスを制限するコンソールアプリケーションと
を備えることを特徴とするゲームコンソール。
【請求項２】
請求項１に記載のゲームコンソールであって、前記ペアレンタルコントロール設定は、特定のメディアタイプに関連づけられていることを特徴とするゲームコンソール。
【請求項３】
請求項１に記載のゲームコンソールであって、前記ペアレンタルコントロール設定は、前記ゲームコンソールに設定した国で用いられるレーティングシステムに関連づけられていることを特徴とするゲームコンソール。
【請求項４】
請求項１に記載のゲームコンソールであって、前記コンソールアプリケーションは、複数のペアレンタルコントロール設定に基づいてコンテンツへのアクセスを制限し、前記複数のペアレンタルコントロール設定の各々は、特定のメディアタイプに関連づけられていることを特徴とするゲームコンソール。
【請求項５】
請求項１に記載のゲームコンソールであって、前記ペアレンタルコントロール設定は、ゲームコンテンツに関連づけられていることを特徴とするゲームコンソール。
【請求項６】
請求項１に記載のゲームコンソールであって、前記ペアレンタルコントロール設定は、オーディオコンテンツに関連づけられていることを特徴とするゲームコンソール。
【請求項７】
請求項１に記載のゲームコンソールであって、前記ペアレンタルコントロール設定は、ビデオコンテンツに関連づけられていることを特徴とするゲームコンソール。
【請求項８】
請求項１に記載のゲームコンソールであって、前記ペアレンタルコントロール設定は、オンラインコンテンツに関連づけられていることを特徴とするゲームコンソール。
【請求項９】
請求項１に記載のゲームコンソールであって、前記メモリはハードディスクドライブを備えることを特徴とするゲームコンソール。
【請求項１０】
請求項１に記載のゲームコンソールであって、前記コンソールアプリケーションは、少なくとも１つのペアレンタルコントロール設定の入力を可能にするユーザインタフェースを提供することを特徴とするゲームコンソール。
【請求項１１】
請求項１に記載のゲームコンソールであって、前記コンソールアプリケーションは、ゲームコンテンツのペアレンタルコントロール設定、オーディオコンテンツのペアレンタルコントロール設定、ビデオコンテンツのペアレンタルコントロール設定、およびオンラインコンテンツのペアレンタルコントロール設定の入力を可能にするユーザインタフェースを提供することを特徴とするゲームコンソール。
【請求項１２】
請求項１に記載のゲームコンソールであって、前記コンソールアプリケーションは、少なくとも１つのペアレンタルコントロール設定に関連づけられたパスワードの入力を可能にするユーザインタフェースを提供することを特徴とするゲームコンソール。
【請求項１３】
ゲームコンソールにより実行される方法であって、
前記ゲームコンソール上で実行しようとするコンテンツを識別するステップと、
ペアレンタルコントロール設定を識別するステップと、
前記ペアレンタルコントロール設定を用いて、前記ゲームコンソール上で実行しようとするコンテンツを解析するステップと、
前記コンテンツが前記ペアレンタルコントロール設定を満たす場合に、前記コンテンツを実行するステップと
を備えることを特徴とする方法。
【請求項１４】
請求項１３に記載の方法であって、前記ゲームコンソール上で実行しようとするコンテンツは、ゲームコンテンツであることを特徴とする方法。
【請求項１５】
請求項１３に記載の方法であって、前記ゲームコンソール上で実行しようとするコンテンツは、オーディオコンテンツであることを特徴とする方法。
【請求項１６】
請求項１３に記載の方法であって、前記ゲームコンソール上で実行しようとするコンテンツは、ビデオコンテンツであることを特徴とする方法。
【請求項１７】
請求項１３に記載の方法であって、前記コンテンツを解析するステップは、前記コンテンツに関連づけられたレーティングを決定し、該レーティングを前記ペアレンタルコントロール設定と比較するステップを含むことを特徴とする方法。
【請求項１８】
請求項１３に記載の方法であって、前記ペアレンタルコントロール設定は、前記ゲームコンソール上で実行しようとするコンテンツのタイプに関連づけられていることを特徴とする方法。
【請求項１９】
請求項１３に記載の方法であって、前記ペアレンタルコントロール設定を識別するステップは、前記ゲームコンソール上で実行しようとするコンテンツのタイプに関連づけられたペアレンタルコントロール設定を識別するステップを含むことを特徴とする方法。
【請求項２０】
請求項１３に記載の方法であって、前記コンテンツが前記ペアレンタルコントロール設定を満たさない場合に、前記ゲームコンソール上での前記コンテンツの実行を差し控えるステップをさらに備えることを特徴とする方法。
【請求項２１】
請求項１３に記載の方法であって、前記コンテンツが前記ペアレンタルコントロール設定を満たさない場合に、受け入れられないコンテンツであることを示すメッセージを生成するステップをさらに備えることを特徴とする方法。
【請求項２２】
プログラムであって、該プログラムは、実行されると、請求項１３に記載の方法を前記ゲームコンソールに実行させることを特徴とするプログラム。
【請求項２３】
ゲームコンソールにより実行される方法であって、
前記ゲームコンソールによりアクセスしようとするコンテンツのタイプを識別するステップと、
前記ゲームコンソールによりアクセスしようとするコンテンツのタイプに関連づけられたペアレンタルコントロール設定を識別するステップと、
前記識別されたペアレンタルコントロール設定を用いて、前記ゲームコンソールによりアクセスしようとするコンテンツを解析するステップと、
前記コンテンツが前記識別されたペアレンタルコントロール設定を満たす場合に、前記コンテンツにアクセスするステップと
を備えることを特徴とする方法。
【請求項２４】
請求項２３に記載の方法であって、前記ゲームコンソールによりアクセスしようとするコンテンツのタイプは、ゲームデータであることを特徴とする方法。
【請求項２５】
請求項２３に記載の方法であって、前記ゲームコンソールによりアクセスしようとするコンテンツのタイプは、オーディオデータであることを特徴とする方法。
【請求項２６】
請求項２３に記載の方法であって、前記ゲームコンソールによりアクセスしようとするコンテンツのタイプは、ビデオデータであることを特徴とする方法。
【請求項２７】
請求項２３に記載の方法であって、前記ゲームコンソールによりアクセスしようとするコンテンツのタイプは、オンラインデータであることを特徴とする方法。
【請求項２８】
プログラムであって、該プログラムは、実行されると、請求項２３に記載の方法を前記ゲームコンソールに実行させることを特徴とするプログラム。
【請求項２９】
ゲームコンソールのためのユーザインタフェースであって、
前記ゲームコンソールによりプレイ可能な異なるメディアタイプを識別するように設定されたメインメニューと、
前記メインメニューからアクセス可能であり、ユーザが、前記ゲームコンソールによりプレイできる異なるメディアタイプの各々に対して種々のコンテンツ制限を設定できるようにするペアレンタルコントロール設定メニューと
を備えることを特徴とするユーザインタフェース。
【請求項３０】
請求項２９に記載のユーザインタフェースであって、前記ゲームコンソールによりプレイ可能な異なるメディアタイプには、ゲームメディアタイプ、音楽メディアタイプ、および映画メディアタイプが含まれることを特徴とするユーザインタフェース。
【請求項３１】
請求項２９に記載のユーザインタフェースであって、前記ペアレンタルコントロール設定メニューは、さらに、ユーザがパスワードを設定して、前記ペアレンタルコントロール設定の権限のない変更を防止することを可能にすることを特徴とするユーザインタフェース。
【請求項３２】
ゲームコンソールのためのユーザインタフェースであって、
コンテンツ制限レベルの範囲を識別する範囲インディケータと、
特定のコンテンツ制限レベルを選択するために、前記範囲インディケータに関連して移動可能なコントロールと
を備えることを特徴とするユーザインタフェース。
【請求項３３】
請求項３２に記載のユーザインタフェースであって、前記ゲームコンソールによりプレイ可能な特定のメディアタイプを識別する第１表示領域をさらに備え、前記範囲インディケータは、前記第１表示領域において識別されたメディアタイプに対するコンテンツ制限レベルの範囲を識別するように適合されていることを特徴とするユーザインタフェース。
【請求項３４】
請求項３２に記載のユーザインタフェースであって、現在選択されているコンテンツ制限レベルについてのコンテンツ制限の概要を識別する第２表示領域をさらに備えることを特徴とするユーザインタフェース。
【請求項３５】
ゲームコンソールのためのプログラムであって、該プログラムは、実行されると、前記ゲームコンソールに、
前記ゲームコンソールによりプレイしようとするコンテンツを識別させ、
前記識別されたコンテンツに関連づけられたペアレンタルコントロール設定を識別させ、
前記識別されたコンテンツが前記ペアレンタルコントロール設定を満たすか否かを決定させ、
前記識別されたコンテンツが前記ペアレンタルコントロール設定を満たす場合に、前記識別されたコンテンツをプレイさせる
ことを特徴とするプログラム。
【請求項３６】
請求項３５に記載のプログラムであって、前記ゲームコンソールによりプレイしようとするコンテンツは、ゲームデータ、オーディオデータおよびビデオデータを含むメディアタイプのグループから選択されることを特徴とするプログラム。
【請求項３７】
請求項３５に記載のプログラムであって、該プログラムは、さらに、前記ゲームコンソールに、ユーザが前記ペアレンタルコントロール設定に関連づけられた有効なパスワードを入力した後、前記ペアレンタルコントロール設定を変更させることを特徴とするプログラム。
【請求項３８】
ユーザインタフェースを提供するゲームコンソールであって、前記ユーザインタフェースには、
前記ゲームコンソールによりプレイ可能な異なるメディアタイプを識別するように設定されたメインメニューと、
前記メインメニューからアクセス可能であり、ユーザが、前記ゲームコンソールによりプレイできる異なるメディアタイプの各々に対して種々のコンテンツ制限を設定できるようにするペアレンタルコントロール設定メニューと
が含まれることを特徴とするゲームコンソール。
【請求項３９】
ユーザインタフェースを提供するゲームコンソールであって、前記ユーザインタフェースには、
コンテンツ制限レベルの範囲を識別する範囲インディケータと、
特定のコンテンツ制限レベルを選択するために、前記範囲インディケータに関連して移動可能なコントロールと
が含まれることを特徴とするゲームコンソール。